(57)【要約】【課題】発炎筒を手に保持して使用することができ、かつ、燃焼時に発生する高温の燃焼残渣の飛散を防止し、延焼の危険性のない発炎筒を提供。【解決手段】発炎筒本体１を、外筒容器２内の中心部に載置し、発炎筒本体１と外筒容器２内面との空隙部に、吸水させた親水性物質（例えばカゼイン、ゼラチン等の水溶性天然高分子、カルボキシメチルセルロースナトリウム等のセルロース誘導体、ポリアクリル酸ソーダ等）、ロックウール、アルミナ、珪酸カルシウム、シリカからなる群から選ばれる少なくとも１種からなる断熱材３を充填させる。【選択図】    図１
2005018515.tif 000002
【特許請求の範囲】
【請求項１】
発炎筒本体が、外筒容器内の中心部に載置され、かつ、発炎筒本体と外筒容器内面との空隙部に断熱材が設けられてなることを特徴とする発炎筒。
【請求項２】
発炎筒本体が内筒容器に嵌入され、該内筒容器が、外筒容器内の中心部に載置され、かつ、内筒容器と外筒容器内面との空隙部に断熱材が設けられてなることを特徴とする発炎筒。
【請求項３】
断熱材が、吸水させた親水性物質、ロックウール、アルミナ、珪酸カルシウム及びシリカからなる群から選ばれる少なくとも１種であることを特徴とする請求項１または請求項２に記載の発炎筒。
【発明の詳細な説明】
【０００１】
【発明の属する技術分野】
本発明は、発炎筒を手に保持して使用することができ、かつ、発炎筒燃焼時において、延焼の危険性を低減させた発炎筒に関するものである。
【０００２】
【従来の技術】
発炎筒は、火薬の燃焼により赤色等の高光度な火炎や多量の煙を発生し、高速道路等における交通事故現場を他の運転者に知らせる信号として、あるいは船舶の海難事故、山岳地での遭難事故のような場合に、遭難者の位置を救助隊に知らせる信号として利用されている。
【０００３】
従来の自動車用等に用いられる発炎筒は、発炎筒本体が樹脂製の容器に収納され、発炎筒の使用時には、樹脂容器ごと燃焼するため、手に保持して使用することができず、また、火炎や煙のほかに、高温の燃焼残渣も同時に発生して周辺に飛散し、山岳地などで地面に設置して使用した場合には、周辺の可燃物に延焼する恐れがあった。
【０００４】
特許文献１には、信号炎管を手に保持して使用する際には把手となり、道路上等に設置する際にはその支持台となる信号炎管支持器が提案されている。しかしながら、該支持器では、燃焼残渣の飛散を防止することができず、手に保持して使用した場合には、皮膚を火傷する危険性があり、また、周辺の可燃物に延焼する危険性があった。
【０００５】
特許文献２には、不燃性の外套に収納された発炎筒が提案されている。該発炎筒によれば、発炎筒の燃焼時にも、燃焼残渣が外套内に残存し、周辺に飛散することがないため、延焼防止の効果は認められるものの、発炎筒の火炎から放出される熱により外套が高温となるため、手に保持して使用することができなかった。
【０００６】
発炎筒を手に保持して使用でき、かつ、燃焼時に発生する燃焼残渣が周辺に飛散せず、延焼の危険性のない発炎筒が望まれていた。
【０００７】
【特許文献１】
実公昭４０−２０３４７号公報
【特許文献２】
実公昭４９−４６３１４号公報
【０００８】
【発明が解決しようとする課題】
本発明の目的は、発炎筒を手に保持して使用することができ、かつ、燃焼時に発生する高温の燃焼残渣の飛散を防止し、延焼の危険性のない発炎筒を提供することである。
【０００９】
【課題を解決するための手段】
本発明者は、鋭意検討を重ねた結果、上記課題を解決し得る発炎筒を見いだし、本発明を完成するに至った。すなわち本発明は、発炎筒本体が、外筒容器内の中心部に載置され、かつ、発炎筒本体と外筒容器内面との空隙部に断熱材が設けられてなることを特徴とする発炎筒である。
【００１０】
また、本発明は、発炎筒本体が内筒容器に嵌入され、該内筒容器が、外筒容器内の中心部に載置され、かつ、内筒容器と外筒容器内面との空隙部に断熱材が設けられてなることを特徴とする発炎筒である。
【００１１】
以下、本発明について、図面を参照して詳細に説明する。なお、図１は、本発明の発炎筒の一実施形態を示す概略断面図である。
【００１２】
図１に示す発炎筒は、発炎筒本体１が、外筒容器２内の中心部に載置され、発炎筒本体１と外筒容器２内面との空隙部に、断熱材３が設けられ、必要に応じて、断熱材３を内蓋４により封止させた後、外蓋５を取り付けて得られる。発炎筒本体１を外筒容器内２の中心部に載置する際には、例えば接着剤または両面テープ等の粘着剤６を用いて発炎筒本体１の底面を固定させた場合、発炎筒本体１の振れを防止することができ、好ましい。
【００１３】
また、図２は、本発明の発炎筒の他の実施態様を示す概略断面図であり、該発炎筒は、発炎筒本体１が内筒容器７に嵌入され、該内筒容器７が外筒容器２内の中心部に載置されたものであり、その他の構成は図１と同様である。
【００１４】
本発明に用いられる発炎筒本体は、自動車用等に用いられる一般的な発炎筒が使用可能であり、図１及び図２に示すように、発炎筒本体１の頂部に発火薬８を有した発炎筒を使用する場合は、発火薬８を外蓋５に設けられた摺付薬紙９で摺って着火させる。
【００１５】
本発明に用いられる外筒容器２及び内筒容器７の材質としては、例えば、金属、ガラス、樹脂、木、紙があげられるが、木及び紙については、耐湿性、防湿性の加工が施されたものが好ましい。また、外筒容器２及び内筒容器７の形状としては筒状の円柱型、多角柱型、楕円柱型容器があげられ、特に限定されない。
【００１６】
本発明に用いられる断熱材としては、熱を伝導しにくい材料が使用でき、具体的には、吸水させた親水性物質、ロックウール、アルミナ、珪酸カルシウム及びシリカからなる群から選ばれる少なくとも１種である。
【００１７】
上記親水性物質としては、カゼイン、ゼラチン、でんぷん、アラビアゴム、アルギン酸ソーダ、カラギーナン、寒天、ペクチン、キサンタンガム、グアーガム、サイクリデキストリン、ジュランガム、タマリンド種子多糖類、タンニン酸、トラガントガム、ファーセレラン、プルラン、ローストビーンガムなどの水溶性天然高分子、カルボキシメチルセルロースナトリウム、カルボキシメチルセルロースナイトレート、ヒドロキシエチルセルロース、ヒドロキシプロピルセルロース、メチルセルロースなどのセルロース誘導体、ポリアクリル酸ソーダ、ポリアクリルアマイド、ポリアクリルアミン、ポリエチレンイミン、ポリエチレンオキサイド、ポリエチレングリコール、ポリビニルアルコール、ポリビニルメチルエーテル、ポリビニルピロリドン、プロピレングリコールがあげられ、これらの物質に適度に水を吸水させて、水性ゲルとして使用される。
【００１８】
断熱材の形態としては、成型体、ゲル状、粒状、ウール状、繊維状、ブロック状などがあげられ、特に限定されないが、成型体からなる断熱材を用いる場合は、図１に示すような、発炎筒本体１が、断熱材３により直接囲繞された構成の発炎筒が好ましい。また、水分を含むゲル状断熱材または粒状、ウール状等のような成型性に欠ける断熱材を用いる場合には、発炎筒本体１の湿気防止、断熱材３の崩落防止のため、図２に示すような、発炎筒本体１と断熱材３が、内筒容器７により仕切られた構成の発炎筒が好ましい。
【００１９】
前記例示した断熱材のうち、水性ゲルは、水分を含んでいるため、断熱効果が高く、断熱層の厚みを薄くできるため、発炎筒を小型化できるが、発炎筒本体の湿気防止のため、図２に示すような内筒容器７を有した構成の発炎筒が好ましく、以下に、断熱材３として該水性ゲルを用いた場合について詳細に説明する。
【００２０】
図２に示すように、金属または樹脂等の防湿性の高い内筒容器７を外筒容器２内の中央部に載置し、内筒容器７の底面を粘着剤６により固定させる。ついで、内筒容器７と外筒容器２内面との空隙部に、断熱材３である水性ゲルを充填し、該断熱材上面に、内蓋４をかぶせた後、該断熱材の水分が漏出しないように内蓋４を接着剤で封止させる。ついで、発炎筒本体１を内筒容器７に嵌入させた後、外蓋５を取り付けて本発明の発炎筒が得られる。
【００２１】
上記空隙部に、内蓋４を施す代わりに、水性ゲルをポリ袋などに詰めて密封させたものを、充填させた場合でも、上記と同様の水分漏出防止効果を得ることができる。
【００２２】
本発明の発炎筒は、発炎筒本体が、断熱材を囲繞させて外筒容器内に収納されており、発炎筒の燃焼時でも、火炎による熱が断熱材により遮断され、外筒容器が熱くなることがなく、手に保持して使用でき、また、燃焼残渣は外筒容器内に残存し、容器外へ飛散することがないので、周辺の可燃物への延焼を効果的に防止することができる。
【００２３】
【発明の実施の形態】
【実施例１】
図１において、ステンレス製の外筒容器２（外径５５ｍｍ、内径５４ｍｍ、高さ１１５ｍｍ）内に、断熱材３として、アルミナ製の筒状成型体（外径５３ｍｍ、内径２４ｍｍ、高さ１１０ｍｍ）を嵌入させ、ついで、該筒状成型体内に、発炎筒本体１（外径２２ｍｍ、高さ１１５ｍｍ）を嵌入させて、発炎筒の底面を粘着剤６により固定した後、外蓋５（外径５６ｍｍ、内径５５ｍｍ、高さ３０ｍｍ）を取り付けて本発明の発炎筒を完成させた。
【００２４】
得られた発炎筒について、燃焼確認試験を行うため、外蓋５を取り外して、発炎筒本体１の発火薬部８を、摺付薬紙９で摺って着火させた後、紙面上に立てて発炎筒を完全に燃焼させた。
【００２５】
この結果、発炎筒の燃焼により発生する燃焼残渣は、外筒内部に残存し、紙面上への飛散は見られず、また、外筒容器は、わずかに温まる程度であり、手で保持することが可能であった。
【００２６】
【実施例２】
図２において、ポリエチレンテレフタレート（以下、「ＰＥＴ」と略記する。）製の外筒容器２（外径５０ｍｍ、内径４９ｍｍ、高さ１１５ｍｍ）の中央部にＰＥＴ製の内筒容器７（外径２５ｍｍ、内径２４ｍｍ、高さ１１０ｍｍ）を粘着剤６により固定した。
【００２７】
ついで、外筒容器２と内筒容器７との空隙部に、断熱材３として、親水性物質であるポリアクリル酸ナトリウム１質量部に水５質量部を吸水させた水性ゲルを、外筒容器の高さ１００ｍｍまで充填した後、ドーナツ状のＰＥＴ製内蓋４（直径４９ｍｍ、内径２５ｍｍ、厚さ１ｍｍ）を接着剤で貼りつけて、該水性ゲルを封止した。
【００２８】
上記内筒容器７に、発炎筒本体１（外径２２ｍｍ、高さ１１５ｍｍ）を挿入し、発炎筒本体の底部を粘着剤６で固定し、外蓋５（外径５１ｍｍ、内径５０ｍｍ、高さ３０ｍｍ）を取り付けて本発明の発炎筒を完成させた。
【００２９】
得られた発炎筒について、実施例１と同様に燃焼確認試験を行った結果、発炎筒の燃焼により発生する燃焼残渣は、外筒内部に残存し、紙面上への飛散は見られず、また、外筒容器は、わずかに温まる程度であり、手で保持することが可能であった。
【００３０】
【比較例】
ステンレス製の円筒状容器（外径２５ｍｍ、内径２４ｍｍ、高さ１１５ｍｍ）に、断熱材を充填することなく、発炎筒本体（外径２２ｍｍ、高さ１１５ｍｍ）のみを嵌入して、発炎筒を完成させた。
【００３１】
得られた発炎筒について、実施例１と同様に燃焼確認試験を行った結果、発炎筒の燃焼により発生する燃焼残渣は、ステンレス容器内部に残存し、紙面上への飛散は見られなかったが、ステンレス容器が熱くなり、手に保持することはできなかった。
【００３２】
【発明の効果】
本発明の発炎筒は、発炎筒本体が、断熱材を囲繞させて外筒容器内に収納されており、発炎筒の燃焼時でも、火炎による熱が断熱材により遮断され、外筒容器が熱くなることがなく、手に保持して使用でき、また、燃焼残渣は外筒容器内に残存し、容器外へ飛散することがないので、周辺の可燃物への延焼を効果的に防止することができる。
【図面の簡単な説明】
【図１】本発明の発炎筒の一実施形態を示す概略断面図である。
【図２】本発明の発炎筒の他の実施形態を示す概略断面図である。
【符号の説明】
１  発炎筒本体
２  外筒容器
３  断熱材
４  内蓋
５  外蓋
６  粘着剤
７  内筒容器
８  発火薬部
９  摺付薬紙
【図１】
2005018515.tif 000003
【図２】
2005018515.tif 000004